(57)【要約】  利用者の移動情報を正確に把握することができるエレベーター利用ログ出力システム、及びエレベーター利用ログ出力方法を提供する。  エレベーターの乗場を撮影するカメラ１７、或いは乗りかご内を撮影するカメラ２０の画像から、利用者Ｐａ〜Ｐｄのそれぞれに利用者を判別する判別情報とＩＤ情報を設定、付与し、この判別情報とＩＤ情報を基に利用者Ｐａ〜Ｐｄの移動をトレースして少なくとも利用者の乗車階床と降車階床を紐つけて記憶させて利用者の移動情報を正確に把握する。これによれば、利用者の移動情報を正確に把握できるので、例えば、群管理制御を行なうための事前のシミュレーションの精度を向上することができる。
2019087251.tif 000002
【特許請求の範囲】
【請求項１】
複数のエレベーターの乗車号機の乗場を撮影する乗場カメラの画像を解析して、前記乗場の利用者の移動情報を把握するエレベーター利用ログ出力システムであって、
前記エレベーター利用ログ出力システムは、
前記乗場カメラの画像から、個別の利用者を判別する判別情報を検出する利用者検出手段と、
前記判別情報に対応して個別のＩＤ番号を設定して付与するＩＤ番号設定手段と、
前記判別情報と前記ＩＤ番号とから個別の利用者の移動情報を検出する移動情報検出手段と、
前記移動情報検出手段によって検出された前記移動情報を、前記ＩＤ番号に対応して記憶する記憶手段とを備えている
ことを特徴とするエレベーター利用ログ出力システム。
【請求項２】
請求項１に記載のエレベーター利用ログ出力システムであって、
前記移動情報検出手段は、
前記乗場から乗車号機に乗車する個別の利用者の前記判別情報と、前記乗車号機から他の前記乗場に降車する個別の利用者の前記判別情報とを比較して、乗車時の前記判別情報と降車時の前記判別情報が一致する個別の利用者を特定する利用者認識手段を備え、前記利用者認識手段で認識された個別の利用者の前記移動情報を検出する
ことを特徴とするエレベーター利用ログ出力システム。
【請求項３】
請求項２に記載のエレベーター利用ログ出力システムであって、
前記エレベーター利用ログ出力システムは、
前記乗場カメラの画像から前記乗場の前記乗車号機毎に利用者を抽出する利用者検出範囲を設定する利用者検出範囲設定手段を備えており、
前記利用者検出手段は、前記利用者検出範囲設定手段で設定された前記乗車号機毎の前記利用者検出範囲から個別の利用者の前記判別情報を抽出する
ことを特徴とするエレベーター利用ログ出力システム。
【請求項４】
請求項３に記載のエレベーター利用ログ出力システムであって、
前記エレベーター利用ログ出力システムは、
前記利用者検出範囲設定手段によって設定された隣接する前記利用者検出範囲の重複領域に利用者が存在する場合に、前記重複領域の利用者の画像を解析して前記重複領域に存在する利用者の前記利用者検出範囲を設定する利用者検出範囲再設定手段を備えている
ことを特徴とするエレベーター利用ログ出力システム。
【請求項５】
請求項４に記載のエレベーター利用ログ出力システムであって、
前記利用者検出範囲再設定手段は、それぞれの前記乗車号機の待ち方向を設定し、前記乗場カメラの画像から前記重複領域の利用者の待機方向を検出し、前記乗車号機の待ち方向と比較して、前記重複領域に存在する利用者の前記利用者検出範囲を設定する
ことを特徴とするエレベーター利用ログ出力システム。
【請求項６】
請求項２に記載のエレベーター利用ログ出力システムであって、
前記エレベーター利用ログ出力システムは、
前記記憶手段に前記移動情報が記憶されると、所定の解放条件にしたがって個別の利用者の前記ＩＤ番号と、これに紐つけられた前記判別情報を解放するＩＤ番号開放手段を備えている
ことを特徴とするエレベーター利用ログ出力システム。
【請求項７】
複数のエレベーターの乗車号機の乗場を撮影する乗場カメラの画像を解析して、前記乗場の利用者の移動情報を把握するエレベーター利用ログ出力方法であって、
前記エレベーター利用ログ出力方法は、
前記乗場カメラの画像から、個別の利用者を判別する判別情報を検出し、
前記判別情報に対応して個別のＩＤ番号を設定し、
前記判別情報と前記ＩＤ番号とから個別の利用者の移動情報を検出し、
検出された前記移動情報を前記ＩＤ番号に対応して記憶する
ことを特徴とするエレベーター利用ログ出力方法。
【請求項８】
請求項７に記載のエレベーター利用ログ出力方法であって、
前記移動情報を検出する場合は、
前記乗場から乗車号機に乗車する個別の利用者の前記判別情報と、前記乗車号機から他の前記乗場に降車する個別の利用者の前記判別情報とを比較し、乗車時の前記判別情報と降車時の前記判別情報が一致する個別の利用者を特定して前記移動情報を検出する
ことを特徴とするエレベーター利用ログ出力方法。
【請求項９】
請求項８に記載のエレベーター利用ログ出力方法であって、
前記エレベーター利用ログ出力方法は、
前記乗場カメラの画像から前記乗場の前記乗車号機毎に利用者を抽出する利用者検出範囲を設定し、
設定された前記乗車号機毎の前記利用者検出範囲から個別の利用者の前記判別情報を抽出する
ことを特徴とするエレベーター利用ログ出力方法。
【請求項１０】
請求項９に記載のエレベーター利用ログ出力方法であって、
前記エレベーター利用ログ出力方法は、
隣接する前記利用者検出範囲の重複領域に利用者が存在する場合に、前記重複領域の利用者の画像を解析して前記重複領域に存在する利用者の前記利用者検出範囲を再設定する
ことを特徴とするエレベーター利用ログ出力方法。
【請求項１１】
請求項１０に記載のエレベーター利用ログ出力方法であって、
前記エレベーターの上下方向人数検出方法は、
それぞれの前記乗車号機の待ち方向を設定して前記乗場カメラの画像から前記重複領域の利用者の待機方向を検出し、
前記乗車号機の待ち方向と比較して、前記重複領域に存在する利用者の前記利用者検出範囲を設定する
ことを特徴とするエレベーター利用ログ出力方法。
【請求項１２】
請求項８に記載のエレベーター利用ログ出力方法であって、
前記エレベーター利用ログ出力方法は、
前記移動情報が記憶されると、所定の解放条件にしたがって、個別の利用者の前記ＩＤ番号と、これに紐つけられた前記判別情報を解放する
ことを特徴とするエレベーター利用ログ出力方法。
【請求項１３】
複数のエレベーターの乗車号機の乗りかご内を撮影するかご内カメラの画像を解析して、前記乗りかご内の利用者の移動情報を把握するエレベーター利用ログ出力システムであって、
前記エレベーター利用ログ出力システムは、
前記かご内カメラの画像から、個別の利用者を判別する判別情報を検出する利用者検出手段と、
前記判別情報に対応して個別のＩＤ番号を設定して付与するＩＤ番号設定手段と、
前記判別情報と前記ＩＤ番号とから個別の利用者の移動情報を検出する移動情報検出手段と、
前記移動情報検出手段によって検出された前記移動情報を、前記ＩＤ番号に対応して記憶する記憶手段とを備えている
ことを特徴とするエレベーター利用ログ出力システム。
【請求項１４】
複数のエレベーターの乗車号機の乗りかご内を撮影するかご内カメラの画像を解析して、前記乗りかご内の利用者の移動情報を把握するエレベーター利用ログ出力方法であって、
前記エレベーター利用ログ出力方法は、
前記かご内カメラの画像から、個別の利用者を判別する判別情報を検出し、
前記判別情報に対応して個別のＩＤ番号を設定し、
前記判別情報と前記ＩＤ番号とから個別の利用者の移動情報を検出し、
検出された前記移動情報を前記ＩＤ番号に対応して記憶する
ことを特徴とするエレベーター利用ログ出力方法。
【発明の詳細な説明】
【技術分野】
【０００１】
本発明はエレベーターを利用する利用者の移動情報を正確に把握するエレベーター利用ログ出力システム、及びエレベーター利用ログ出力方法に関するものである。
【背景技術】
【０００２】
比較的規模の大きな建築物においては、エレベーターによる利用者輸送能力を向上させるため複数のエレベーターを併設し、乗り場での呼び登録に際して、最適な乗りかごを選択してサービスさせるシステムを導入している。更に、建築物の規模が大きくなるにつれ、併設されるエレベーターの台数も多くなり、これら複数のエレベーターを群管理制御装置により、適切に制御して利用者に対する待ち時間の低減等のサービス向上を図っている。【０００３】
このような群管理制御装置を用いたエレベーターにおいては、それぞれのエレベーターを適切に制御するため、利用者の行動等を計測してエレベーターの制御を行なうようにしている。例えば、特開２０１０−２５４３９１号公報（特許文献１）、特開２００３−２２１１７４号公報（特許文献２）、特開２００６−２１８５２号公報（特許文献３）等においては、以下のようなシステムが提案されている。【０００４】
特許文献１に示されたエレベーターシステムにおいては、乗場戸の周辺に引き込まれ事象を検出する検出器が設けられ、また、この検出器による引き込まれ事象を記録する履歴記録部が設けられている。そして、履歴記録部による事象検出数を計数する検出数集計部が備えられ、所定期間における事象検出数に基づいて乗場戸の開閉を制御している。これによれば、乗場戸への挟まれ事象や戸袋への引き込まれ事象を未然に防ぐことができる。【０００５】
また、特許文献２に示されたエレベーターシステムにおいては、乗りかご内に監視カメラを設け、所定時刻にカメラ画像をエレベーター保守会社に送信して利用者の確認を行なうようにしている。これによれば、ビルの最終退館者や夜間入館者を離れた場所から容易に確認することができ、ビルのセキュリティ機能を向上することができる。【０００６】
更に、特許文献３に示されたエレベーターシステムにおいては、監視カメラで撮影された乗りかご内の映像を記録する映像記録手段を設け、犯罪の可能性が高い事象に関する信号を受信したとき、受信時刻データ及び各事象を表す識別データとともに、映像記録手段に記録されている所定時間帯の乗りかご内の映像を保存するにしている。これによれば、乗りかご内の映像の記録容量を節減し、事象発生時の映像を迅速に検索できる。
【先行技術文献】
【特許文献】
【０００７】
【特許文献１】特開２０１０−２５４３９１号公報
【特許文献２】特開２００３−２２１１７４号公報
【特許文献３】特開２００６−  ２１８５２号公報
【発明の概要】
【発明が解決しようとする課題】
【０００８】
ところで、この種の群管理制御装置を備えたエレベーターにおいては、エレベーターを効率的に運用するため、事前にシミュレーションによる模擬運転を行なうことが往々にして要求される。このためには、利用者の移動情報(建築物の上方向、或いは下方向への移動、利用者の人数、乗車号機、待機時刻、出発階床、到着階床等)を正確に把握する必要がある。このように利用者の移動情報が正確に把握できると、群管理制御を行なうための事前のシミュレーションに必要となる正確なパラメータデータが得られるので、シミュレーションの精度を向上できる。したがって、群管理制御装置においては、利用者の移動情報を正確に把握することが強く要請されている。【０００９】
本発明の目的は、利用者の移動情報を正確に把握することができるエレベーター利用ログ出力システム、及びエレベーター利用ログ出力方法を提供することにある。
【課題を解決するための手段】
【００１０】
本発明の特徴は、エレベーターの乗場を撮影する乗場カメラ、或いは乗りかご内を撮影するかご内カメラの画像から、利用者のそれぞれに利用者を判別する判別情報とＩＤ情報を設定、付与し、この判別情報とＩＤ情報を基に利用者の移動をトレースして少なくとも利用者の乗車階床と降車階床を紐つけて記憶させて利用者の移動情報を把握する、ところにある。
【発明の効果】
【００１１】
本発明によれば、利用者の移動情報を正確に把握できるので、例えば、群管理制御を行なうための事前のシミュレーションに必要となる正確なパラメータデータが得られるので、シミュレーションの精度を向上できる。
【図面の簡単な説明】
【００１２】
【図１】本発明の第１の実施形態になるエレベーター運行管理システムと監視カメラ制御システムの概略を示す構成図である。
【図２】乗場を斜め上方から見た外観図である。
【図３】乗車号機毎に設定される利用者検出範囲を示す説明図である。
【図４】４階から１階までの乗車号機の利用者の移動を説明する説明図である。
【図５Ａ】利用者の移動を説明するもので、利用者が乗車号機に乗り込む前の５階の乗場を示す説明図である。
【図５Ｂ】利用者の移動を説明するもので、利用者が乗車号機に乗り込んだ後の５階の乗場を示す説明図である。
【図５Ｃ】利用者の移動を説明するもので、１人の利用者が降車した７階の乗場を示す説明図である。
【図５Ｄ】利用者の移動を説明するもので、２人の利用者が降車した８階の乗場を示す説明図である。
【図５Ｅ】利用者の移動を説明するもので、１人の利用者が降車した９階の乗場を示す説明図である。
【図５Ｆ】１人の新たな利用者が乗車する前の９階の乗場を示す説明図である。
【図６】本発明の実施形態になるエレベーターの利用者の移動情報を取得する方法を説明するフローチャートである。
【図７】図６に示す制御ステップＳ１２の詳細な制御フローである。
【図８】図６に示す制御ステップＳ１３の詳細な制御フローである。
【図９】図６に示す制御ステップＳ２０の詳細な制御フローである。
【図１０】図５に示す制御ステップＳ１９で実行されるログ出力の具体的なデータを示す図である。
【図１１】図５に示す制御ステップＳ１９で実行されるログ出力の他の具体的なデータを示す図である。
【発明を実施するための形態】
【００１３】
次に、本発明の実施形態について図面を用いて詳細に説明するが、本発明は以下の実施形態に限定されることなく、本発明の技術的な概念の中で種々の変形例や応用例をもその範囲に含むものである。
【００１４】
図１は、本発明の第１の施形態になる群管理制御されるエレベーターの概略を示す構成図である。
【００１５】
群管理制御装置として機能するエレベーター運行管理システム１０は、複数台のエレベーターのそれぞれの乗車号機を制御する乗車号機エレベーター制御システム１１Ａ〜１１Ｎと接続され、乗車号機エレベーター制御システム１１Ａ〜１１Ｎは、エレベーター運行管理システム１０からの制御指令を受信して乗車号機の運行を実際に行なう機能を備えている。例えば、乗車号機の巻上機の電動モータ、巻上機のブレーキ機構、戸開閉電動モータ等を制御するものである。
【００１６】
また、エレベーター運行管理システム１０は、通信網１２を介して乗場エレベーターサービス要求装置１３、ビル管理システム１４、公共機関管理システム１５、及び監視カメラ制御システム１６と接続されている。尚、乗場エレベーターサービス要求装置１３、ビル管理システム１４、公共機関管理システム１５は、本実施形態と関係しないので、詳細な説明は省略する。また、図１に示すシステム構成は、建築物毎、或いは複数の建築物毎に構築されたプライベートシステムとして運用されるものである。
【００１７】
本実施形態になるエレベーター運行管理システム１０は、学習部１０Ａ、受信部１０Ｂ、階床別人数評価部１０Ｃ、総合評価部１０Ｄ、及び割当て指令部１０Ｅとから構成されており、それぞれは、コンピュータの制御機能として実現することができる。
【００１８】
受信部１０Ｂは、通信網１２と接続されており、監視カメラ制御システム１６からの各種関連情報が入力されている。受信された各種関連情報は、学習部１０Ａに送られて書き換え処理等の実行によって各種関連情報の学習が行われる。
【００１９】
また、受信された各種関連情報は、階床別人数評価部１０Ｃに送られ、ここで所定の評価演算処理が実行される。この評価演算結果は総合評価部１０Ｄに送られ、他の評価演算パラメータと併せて総合評価演算が実行される。総合評価部１０Ｄで演算された乗車号機の運行割当て情報は割当て指令部１０Ｅに送られ、割当て指令部１０Ｅは、対応する乗車号機エレベーターシステム１１Ａ〜１１Ｎに制御指令を送信して、乗車号機エレベーターシステム１１Ａ〜１１Ｎに所定の機能を実行させる。
【００２０】
一方、本実施形態の特徴である監視カメラ制御システム１６は、監視カメラの画像入力処理部１６Ａ、検出範囲設定処理部１６Ｂ、利用者検出処理部１６Ｃ、ＩＤ設定処理部１６Ｄ、階床別利用者検出処理部１６Ｅ、移動情報出力処理部１６Ｆ、及びログ出力処理部１６Ｇから構成されており、これらも、コンピュータの制御機能として実現することができる。
【００２１】
検出範囲設定処理部１６Ｂは、以下の利用者検出処理部１６Ｃで検出する利用者の利用者検出範囲を設定する機能を備えており、任意の範囲で利用者検出範囲を設定することができる。例えば、乗場の乗車号機の前面の乗場戸の前で、所定半径の半円状の検出範囲を設定したり、矩形の検出範囲を設定することができる。
【００２２】
利用者検出処理部１６Ｃは、画像入力処理部１６Ａに入力された、監視カメラによって撮影された画像から、人物(＝利用者)検出のための画像特徴量を求め、この特徴量から利用者を特定、抽出する機能を備えている。或いは、人物の頭部像や全体像のモデルと、撮影された画像とを比較して利用者を特定、抽出する機能を備えている。
【００２３】
いずれにしても、利用者検出処理部１６Ｃは、監視カメラによって撮影された画像から、利用者を特定、抽出する機能を備えている。また、利用者検出処理部１６Ｃは、検出された個別の利用者の判別情報、例えば個別の利用者の画像特徴量を記憶する機能を備えている。これによって、他の階床に移動した利用者を識別して特定することができる。以下では、利用者を判別する画像特徴量を判別情報として説明するが、画像特徴量以外にも利用者を識別する情報であれば、判別情報として取り扱うものとする。
【００２４】
ＩＤ設定処理部１６Ｄは、利用者検出処理部１６Ｃで検出された全ての利用者に対してＩＤ情報を設定、付与する機能を備えている。例えば、利用者の顔や身体の判別情報とＩＤ情報を紐つけておけば、利用者の画像解析によってＩＤ情報をトレースすることが可能となる。尚、これ以外の方法によっても個別の利用者の判別情報とＩＤ情報を紐つけることは可能である。また、個別の利用者の判別情報、ＩＤ情報等は秘匿性を確保するため、暗号化処理しておくことが望ましい。
【００２５】
更に紐付けた利用者とＩＤを解放する条件も設定可能とする。これらは、当該システムを納めた際に固定される値や、或いは、各種連携するシステムの通信要求によって、解放条件が変化するものであっても良い。利用者とＩＤを紐づけるためには利用者の特徴点をコンピュータ内に格納する必要があるため当該システムの利用シーンにおいてはより、秘匿性を考慮する必要があるためである。
【００２６】
階床別利用者検出処理部１６Ｅは、各階床毎に利用者の判別情報とＩＤ情報に基づいてそれぞれの利用者の移動情報を検出する。ここで検出する利用者の移動情報は、例えば、利用者の判別情報、ＩＤ情報を基に、ＩＤ情報の発生時刻及びその階床、乗車号機番号、利用者の乗車時刻及びその階床、利用者の降車時刻及びその階床等である。
【００２７】
このような移動情報の取得は、利用者の画像解析による判別情報及びＩＤ情報の設定、付与によって可能となるもので、各階床の監視カメラや乗りかご内の監視カメラによってトレースすることができ、これによって上述した利用者の移動情報を正確に求めることができる。
【００２８】
移動情報出力処理部１６Ｆは、階床別利用者検出処理部１６Ｅで得られた階床毎の利用者の移動情報をログ出力できるように、別に設けた書き換え可能な記憶エリアに記憶させる機能を備えている。
【００２９】
ログ出力処理部１６Ｇは、移動情報出力処理部１６Ｆで記憶された利用者の移動情報をログ出力させる機能を備えている。したがって、ログ出力される利用者の移動情報は、群管理制御を行なうための事前のシミュレーションのパラメータデータとして有効に利用することができる。
【００３０】
次に、本実施形態の特徴となる監視カメラ制御システム１６の詳細を図２〜図１１を用いて説明する。図２〜図５は、本実施形態の考え方を説明する図であり、図６〜図１１はその具体的な実施形態を説明する図である。
【００３１】
図２においては、或る階床(例えば、４階)の乗場を示しており、乗場の任意の位置に乗場監視カメラ１７が設置されている。この乗場監視カメラ１７は、乗場の全体を撮影できる広角カメラが用いられている。また、この乗場には４台のエレベーターが設置されており、それぞれ乗車号機４Ａ〜４Ｄが運行されている。
【００３２】
尚、この階床以外の各階床にも乗場監視カメラ１７が配置されていることはいうまでもない。そして、各階床の乗場監視カメラ１７はネットワークカメラとして構成されており、監視カメラ制御システム１６で総合的に管理、制御されるものであり、これによって、利用者のトレースが可能とされている。そして、乗場には上方向へ運行される乗車号機４Ｂと、下方向へ運行される乗車号機４Ｄの前に、利用者が待機している。乗車号機４Ｂには下方向に向かう４名の利用者Ｐｄｎが待機し、乗車号機４Ｄには上方向に向かう６名の利用者Ｐｕｐが待機している。
【００３３】
図３は、乗車号機毎の利用者を検出するための画像解析を行なう利用者検出範囲を示している。各乗車号機４Ａ〜４Ｄの乗場戸１８Ａ〜１８Ｄの前で、乗場戸１８Ａ〜１８Ｄのそれぞれの中央付近を中心とする所定半径の半円形状に利用者検出範囲１９Ａ〜１９Ｄが設定されている。したがって、乗車号機４Ａ〜４Ｄ毎に利用者検出範囲１９Ａ〜１９Ｄが設定されることになる。
【００３４】
現時点では乗車号機４Ｂと乗車号機４Ｄに利用者が待機しているので、画像解析によって、利用者検出範囲１９Ｂ、及び利用者検出範囲１９Ｄに存在する利用者を検出することができる。この利用者検出範囲の設定は、画像入力処理部１６Ａ及び検出範囲設定処理部１６Ｂで任意に設定可能であり、半円形状とは別に矩形の形状、或いはこれ以外の任意の形状に設定することも可能である。
【００３５】
利用者検出範囲で検出された全ての利用者は、画像解析によって利用者の判別情報である画像特徴点が抽出され、この個別の利用者の画像特徴点に紐付けられるようにＩＤ番号が設定、付与される。したがって、別の乗場監視カメラ１７で撮影された利用者の画像特徴点が一致する利用者がいれば、ＩＤ番号から利用者の移動軌跡を推定することができる。
【００３６】
ここで、隣接する利用者検出範囲１９Ａ〜１９Ｄが重なる重複領域に位置する利用者Ｐｄｎ-１については、どの利用者検出範囲に属するかが判断できない状態が発生する。この場合は、画像解析によって、利用者の顔、肩等の特徴点を抽出して利用者が向き合っている姿勢や方向から利用者検出範囲、及びその乗車号機を決定することができる。或いは、画像の時間的変化から利用者の移動軌跡が推定できるので、どの乗車号機に向かって移動したかを判定することで、利用者検出範囲、及びその乗車号機を決定することができる。
【００３７】
また、エレベーターを待っている状態でも、エレベーターの位置座標を事前に設定、或いは乗場から撮像した画像によってエレベータードアを検出し、自動でその位置座標を設定し、エレベーターの位置座標に対して、上述のとおり、検出した利用者の姿勢や方向からどのエレベーター位置座標に向かっているか否かを判別し、どの乗車号機に向かって待機しているか判別することが可能となる。
【００３８】
したがって、図３においては、利用者Ｐｄｎ−１は乗車号機５Ｄに乗車する利用者として、利用者検出範囲１９Ｄで検出される。他の利用者検出範囲の重複領域でも同様の処理によって利用者検出範囲を決定することができる。当然ことながら、重複領域に存在する利用者も、判別情報である画像特徴点に紐つけられるＩＤ番号が設定、付与されることはいうまでもない。
【００３９】
このような状態で、個別の利用者の判別情報である画像特徴点、ＩＤ番号、ＩＤ番号が付与された時刻、乗車階床、乗車号機等の移動情報を取得することができる。更には、利用者が利用者検出範囲から消失すると、利用者が該当の乗車号機に乗車した時刻として乗車時刻情報を取得できる。
【００４０】
図４は、図３に示す乗車号機４Ｂに乗車して下方に移動する利用者の移動状態を示している。各階床には乗場監視カメラ１７-４〜１７-１が設置されており、各乗場監視カメラ１７の画像情報は監視カメラ制御システム１６に送られて総合的に管理、制御される。尚、監視カメラの参照番号１７-ｎの「ｎ」は階床番号を意味している。同様に乗車号機４Ｂにも、乗りかご２１にかご内監視カメラ２０が設置されており、これの画像情報も監視カメラ制御システム１６に送られて総合的に管理、制御される。
【００４１】
次に図５Ａ〜図５Ｅを基に利用者の移動状態を説明するが、図５Ａ〜図５Ｅは、図４とは反対に乗りかご２１が上方に移動する場合を示している。
【００４２】
まず、５階に待機している利用者は、図５Ａにある通り乗車号機４Ｂの到着を待機している。この場合、利用者は利用者Ｐａ〜Ｐｄの４名である。したがって、このとき乗場監視カメラ１７-５からの画像を解析することによって、利用者検出範囲１９Ｂ内の利用者Ｐａ〜Ｐｄの個別の利用者の判別情報を抽出する。更に、この利用者Ｐａ〜Ｐｄの判別情報に紐つけるようにＩＤ番号を設定、付与し、同時にＩＤ番号の設定時刻が計測されて記憶される。そして、乗車号機４Ｂが到着すると、図５Ｂにあるように利用者Ｐａ〜Ｐｄは乗車号機４Ｂに乗り込む。この時、利用者検出範囲１９Ｂから利用者Ｐａ〜Ｐｄが消失すると、利用者Ｐａ〜Ｐｄが乗車号機４Ｂに乗車したと判断して、乗車階床と乗車時刻を計測して記憶する。
【００４３】
利用者Ｐａ〜Ｐｄが乗車号機４Ｂに乗車すると、乗りかご４Ｂのかご内監視カメラ２０によって、利用者Ｐａ〜Ｐｄの画像が監視カメラ制御システム１６に送られ、この画像から利用者Ｐａ〜Ｐｄの判別情報が求められ、乗場監視カメラ１７-５から送られてきた利用者の判別情報と比較される。比較結果が同じであれば、乗場の利用者Ｐａ〜Ｐｄの全員が乗車号機４Ｂに乗車したと認識される。一方、比較結果が異なれば、一致しない利用者の一部が階段等を利用して移動したと認識される。
【００４４】
次に、乗車号機４Ｂが上昇して７階で停車すると、図５Ｃにある通り、利用者Ｐｄが降車するが、乗場監視カメラ１７-７によって、利用者Ｐｄの画像が監視カメラ制御システム１６に送られ、この画像から利用者Ｐｄの判別情報が求められて、乗場監視カメラ１７-５から送られてきた画像の利用者Ｐｄの判別情報と比較される。比較結果が同じであれば、７階で利用者Ｐｄが降車したと認識して、降車階、及び降車時刻等が記憶される。
【００４５】
尚、乗りかご４Ｂのかご内監視カメラ２０の画像からも利用者Ｐｄが消失するので、利用者Ｐｄが７階で降車したと認識することができる。したがって、乗場監視カメラ１７-７による判別情報と、乗りかごのかご内監視カメラ２０による判別情報を突き合わせることで、利用者の認識の確度を向上することができる。もちろん、以下の階床でも同様の処理を実行すれば、認識の確度を向上することができることはいうまでもない。
【００４６】
次に、乗車号機４Ｂが上昇して８階で停車すると、図５Ｄにある通り、利用者Ｐａ、Ｐｂが降車するが、乗場監視カメラ１７-８によって、利用者Ｐａ、Ｐｂの画像が監視カメラ制御システム１６に送られ、この画像から利用者Ｐａ、Ｐｂの判別情報が求められて、乗場監視カメラ１７-５から送られてきた画像の利用者Ｐａ、Ｐｂの判別情報と比較される。比較結果が同じであれば、８階で利用者Ｐａ、Ｐｂが降車したとして、降車階、及び降車時刻等が記憶される。尚、乗りかご４Ｂのかご内監視カメラ２０の画像からも利用者Ｐａ、Ｐｂが消失するので、利用者Ｐａ、Ｐｂが８階で降車したと認識することができる。
【００４７】
次に、乗車号機４Ｂが上昇して９階で停車すると、図５Ｅにある通り、利用者Ｐｃが降車するが、乗場監視カメラ１７-９によって、利用者Ｐｃの画像が監視カメラ制御システム１６に送られ、この画像から利用者Ｐｃの判別情報が求められて、乗場監視カメラ１７-５から送られてきた画像の利用者Ｐｃの判別情報と比較される。比較結果が同じであれば、９階で利用者Ｐｃが降車したとして、降車階、及び降車時刻等が記憶される。尚、乗りかご４Ｂのかご内監視カメラ２０の画像からも利用者Ｐｃが消失するので、利用者Ｐｃが９階で降車したと認識することができる。
【００４８】
次に９階の乗場に新たに下方向に向かう利用者Ｐｅが出現した場合は、図５Ｆにある通り、利用者Ｐｅは利用者検出範囲１９Ｃに存在して、利用者Ｐｅの判別情報の抽出とＩＤ情報の設定、付与が行われ、同時にＩＤ番号の設定時刻が計測されて記憶される。これ以降は、利用者Ｐｅの移動がトレースされ、移動情報が取得されることになる。
【００４９】
このような考え方に基づき、次に具体的な実施形態を説明する。図６は、監視カメラ制御システム１０で実行される上述した処理のコンピュータによる制御フローを示すフローチャートである。この制御フローは所定時間毎の起動タイミングで起動されるものである。
【００５０】
≪ステップＳ１０≫
ステップＳ１０においては、利用者検出範囲の設定処理を実行するものであり、入力された乗場の画像を基に、図３に示したような利用者検出範囲１９Ａ〜１９Ｄを設定する。そして、この利用者検出範囲１９Ａ〜１９Ｄの中の画像から、以下のステップＳ１１によって乗車号機毎の利用者の抽出が実行されることになる。利用者検出範囲の設定処理が完了するとステップＳ１１に移行する。
【００５１】
≪ステップＳ１１≫
ステップＳ１１においては、利用者の検出処理を実行するものであり、ステップＳ１０で設定された利用者検出範囲１９Ａ〜１９Ｄの中の画像を解析し、乗車号機毎の個別の利用者の抽出を実行するものである。個別の利用者の抽出は、乗場監視カメラ１７によって撮影された画像から、利用者を抽出するための画像特徴量を求め、この特徴量から個別の利用者を特定、抽出している。この特徴量は個別の利用者の判別情報として使用されるので、図示しない記憶エリアに記憶される構成となっている。
【００５２】
ここで、利用者検出範囲１９Ａ〜１９Ｄの中の画像を解析した時に、利用者検出範囲が重複している重複領域に利用者が存在する場合では、どちらの利用者検出範囲の利用者に設定するか判断できない場合がある。したがって、利用者検出処理が終了するとステップＳ１２に移行して重複領域に存在する利用者の設定処理を実行する。
【００５３】
≪ステップＳ１２≫
ステップＳ１２においては、重複領域に存在する利用者の利用者検出範囲の再設定、ここでは人ベクトル検出と称する処理を実行する。この処理は、重複領域に存在する利用者Ｐｄｎ-１(図３参照)がどちらの利用者検出範囲に属するか判定して再設定するものであり、画像解析によって、利用者の顔、肩等の特徴点を抽出して利用者が向き合っている方向や姿勢から利用者検出範囲、及びその乗車号機を決定することができる。尚、この他に画像の時間的変化から利用者Ｐｄｎ-１の移動軌跡が推定できるので、どの乗車号機に向かって移動したかを判定することで、利用者検出範囲、及びその乗車号機を決定することができる。このように、少なくとも利用者の姿勢や方向、或いは移動軌跡の１つ以上の情報から、重複領域に存在する利用者の利用者検出範囲を設定することができる。尚、この人ベクトル検出処理は図７で詳細に説明する。人ベクトル検出処理が終了するとステップＳ１３に移行する。
【００５４】
≪ステップＳ１３≫
ステップＳ１３においては、ステップＳ１１、１２で抽出された全ての利用者の個別の判別情報にＩＤ番号を設定、付与している。利用者の顔や身体の特徴量からなる判別情報とＩＤ情報を紐つけておけば、利用者の画像解析によって、移動する利用者のＩＤ情報をトレースすることが可能となる。このステップＳ１３においては、個別の利用者の判別情報に紐つけられたＩＤ番号が記憶される。
【００５５】
例えば、図４に示すような利用者Ｐａには「０００１」のＩＤ番号を設定し、利用者Ｐｂには「０００２」のＩＤ番号を設定し、利用者Ｐｃには「０００３」のＩＤ番号を設定し、利用者Ｐｄには「０００４」のＩＤ番号を設定することができる。したがって、例えば、利用者Ｐａが、或る出発階床から異なる到着階床に移動した場合、出発階床で利用者Ｐａの判別情報が取得されているので、到着階床で利用者Ｐａの画像解析で同じ判別情報が得られれば、利用者ＰａはＩＤ番号「０００１」によってトレースできることとなる。このＩＤ付与処理は図８で詳細に説明する。
【００５６】
尚、これ以外の方法によっても個別の利用者の判別情報とＩＤ情報を紐つけることは可能である。また、個別の利用者の判別情報、ＩＤ情報等は秘匿性を確保するため、暗号化処理しておくことが望ましい。ＩＤ番号の付与処理が完了するとステップＳ１４に移行する。
【００５７】
≪ステップＳ１４≫
ステップＳ１４においては、個別の利用者が乗場の利用者検出範囲に到達してＩＤ番号を設定、付与された時刻（発生時刻）を記憶する。このため、ＩＤ番号別に発生時刻が異なり、例えば、階床毎の利用者の出発時間分布等を取得することができる。
【００５８】
≪ステップＳ１５≫
ステップＳ１５においては、到着した乗車号機に利用者が乗車したかどうかの検出を行なう。この検出方法としては画像から利用者が消失したことを基に検出することができる。つまり、利用者検出範囲から利用者が消失すると、利用者が乗車号機に乗車したと判断するものである。もちろん、この場合も、利用者の判別情報とＩＤ情報を取得しているので、個別の利用者の乗車情報を求めることが可能である。
【００５９】
また、乗場監視カメラ１７の画像から判断するのではなく、乗りかご２１に設けたかご内監視カメラ２０の画像から利用者の乗車情報を得ることもできる。上述した通り、乗場監視カメラ１７による利用者の判別情報とＩＤ番号が取得されているので、かご内監視カメラ２０の画像による利用者の判別情報と比較することで、乗場に待機していた利用者が乗車したかどうかを判定することができる。乗車利用者の検出処理が完了するとステップＳ１６に移行する。
【００６０】
≪ステップＳ１６≫
ステップＳ１６においては、利用者が乗車号機に乗車した時刻（乗車時刻）を記憶する。この場合も、利用者の判別情報とＩＤ番号が取得されているので、ステップＳ１５で示す通り、利用者毎に検出された乗車情報から利用者毎に乗車した時刻を取得することができる。乗車時刻が取得されるとステップＳ１７に移行する。
【００６１】
≪ステップＳ１７≫
ステップＳ１７においては、利用者が乗車した乗車号機が目的とする降車階床に到達すると、利用客の降車情報を検出する。利用者の降車検出は、到着階の乗場監視カメラ１７で検出することができる。つまり、到着階で利用者が降車するが、到着階の乗場監視カメラ１７によって、利用者の画像が監視カメラ制御システム１６に送られる。監視カメラ制御システム１６では、送られてきた画像から降車した利用者の判別情報が求められ、出発階の乗場監視カメラ１７から送られてきた画像の利用者の判別情報と比較される。比較結果が同じであれば、出発階から乗車した利用者が降車したと認識して、ＩＤ番号や降車階等が記憶される。尚、かご内監視カメラ２０の画像からも利用者が消失するので、利用者が降車したと推定することができる。降車利用者の検出処理が完了するとステップＳ１８に移行する。
【００６２】
≪ステップＳ１８≫
ステップＳ１８においては、利用者が乗車号機から降車した時刻（降車時刻）を記憶する。この場合も、利用者の判別情報とＩＤ番号が取得されているので、ステップＳ１７で示す通り、利用者毎に検出された降車情報から利用者毎に降車した時刻を取得することができる。降車時刻が取得されるとステップＳ１９に移行する。
【００６３】
≪ステップＳ１９≫
ステップＳ１９においては、上述した各制御ステップを実行することによって取得された、個別の利用者の移動情報(移動履歴)をログ出力できるように、利用者の移動情報を書き換え可能なログ用記憶エリアに記憶させている。この場合、「利用者の判別情報」と、これに紐つけられた「ＩＤ番号」と、ＩＤ番号の「発生時刻(設定時刻)」と、ＩＤ番号が発生した「発生階床番号」と、乗車号機に乗車した「乗車時刻」及び「乗車階床番号」と、乗車号機から降車した「降車時刻」及び「降車階床番号」とが記憶される。尚、これ以外に利用者検出範囲、乗車号機の情報も記憶されているので、必要に応じてログ用記憶エリアに記憶させることもできる。利用者の移動情報を書き換え可能なログ用記憶エリアに記憶させるとステップＳ２０に移行する。
【００６４】
≪ステップＳ２０≫
ステップＳ２０においては、個別の利用者のＩＤ番号とこれに紐つけされている判別情報とが解放(消去)され、利用者の実質的な移動情報だけが履歴として残されることとなる。ステップＳ２０を終了すると、図６の制御フローが終了され、次の起動タイミングに備えて待機することになる。このように、利用者の移動情報を正確に把握できるので、群管理制御を行なうための事前のシミュレーションの精度を向上することができる。尚、このＩＤ解放処理は図９で詳細に説明する。
【００６５】
次に図７を用いて、図６に示すステップＳ１２の具体的な例を説明する。図６に示すステップＳ１１が完了すると、図７に示すステップＳ３０〜ステップＳ３４が実行され、再びステップＳ１３に移行する。
【００６６】
≪ステップＳ３０≫
ステップＳ３０においては、カメラの画像から乗場に新たに利用者を検知したかどうかが判定される。画像解析によって、個々の利用者の特定が可能であるため、現時点より前の利用者に対して新たな利用者が乗場に出現すると、これを抽出することで新たな利用者を特定できる。ステップＳ３０では、新たな利用者が抽出されないとエンドに抜け、新たな利用者が抽出されるとステップＳ３１に移行する。
【００６７】
≪ステップＳ３１≫
ステップＳ３１においては、図３に示しているように、新たな利用者Ｐｄｎ-１が利用者検出範囲１９Ｄと利用者検出範囲１９Ｃの重複領域に存在しているかどうかを判定している。そして、新たな利用者Ｐｄｎ-１が重複領域に存在していると判定されるとステップＳ３２に移行し、新たな利用者Ｐｄｎ-１が重複領域に存在していないと判定されるとステップＳ３３に移行する。
【００６８】
≪ステップＳ３２≫
ステップＳ３２においては、図６に示した人ベクトル処理(ステップＳ１２)によって、新たな利用者が属する利用者検出範囲が判定され、これによって乗車号機も判定される。これは、検出された利用者の位置座標と、利用者の向いている方向に対して任意方向を基準とする角度として数値化する。例えば、図３の利用者Ｐｄｎ−１を例にすると、乗り場平面を上から俯瞰して見たレイアウトにおいて、図中上側に対して垂直に向く角度を基準とし、０°とする。そこからエレベーターの位置座標と、利用者の位置座標から、どのエレベーターに向いているか検出する。
【００６９】
例えば、単純に、１°〜９０°である場合、１号機待ち、９１°〜１８０°の場合、２号機待ち、１８１°〜２７０°の場合、３号機待ち、２７１°から０°の場合４号機待ちとする場合や、エレベーターの位置エリアを設定し、利用者の位置座標に応じて、上記の各号機待ちを検出する角度が変わる方式でも良い。図３の例の場合、利用者の向きを検出し、利用者Ｐｄｎ−１の利用者は１２０°とすると、２号機待ちと判定される。
【００７０】
このように、利用者検出範囲の再設定は、それぞれの乗車号機の待ち方向を設定し、監視カメラの画像から重複領域の利用者の待機方向を検出し、乗車号機の待ち方向と比較して、重複領域に存在する利用者の利用者検出範囲を設定することができる。
【００７１】
≪ステップＳ３３≫
ステップＳ３１で新たな利用者が明確に利用者検出範囲に属していると判定されているので、ステップＳ３３においては、この利用者検出範囲に基づき乗車号機が判定される。
【００７２】
≪ステップＳ３４≫
ステップＳ３４においては、重複領域の利用者と利用者検出範囲で抽出した利用者に対して乗車号機番号を付与する。一方、新たな利用者が出現し、重複領域に存在しないで利用者検出範囲に存在する場合も、利用者検出範囲で抽出した利用者に対して乗車号機番号を付与する。この処理が完了すると、図６のステップＳ１３に移行して、図６に示す制御フローの動作を継続するものである。
【００７３】
次に図８を用いて、図６に示すステップＳ１３の具体的な例を説明する。図６に示すステップＳ１２が完了すると、図８に示すステップＳ４０〜ステップＳ４１が実行され、再びステップＳ１４に移行する。
【００７４】
≪ステップＳ４０≫
ステップＳ４０においては、利用者検出範囲に存在する利用者の判別情報が初めて検出されたものかどうかが判定される。この場合、現時点より前の利用者検出範囲に存在する利用者の判別情報は、既に監視カメラ制御システム１６の記憶エリアに記憶されているので、この記憶されている判別情報と今回検出された判別情報を比較することで、初めて検出された利用者かどうかが判定できる。
【００７５】
初めて検出された判別情報でなければエンドに抜け、初めて検出された判別情報であればステップＳ４１に移行する。
【００７６】
≪ステップＳ４１≫
ステップＳ４１においては、初めて検出された利用者の判別情報に対して、新たにＩＤ番号を付与する。そして、利用者の判別情報とＩＤ番号は紐つけられて記憶されるので、ＩＤ番号を付与された利用者の移動状態をトレースすることができることになる。この処理が完了すると、図６のステップＳ１４に移行して、図６に示す制御フローの動作を継続するものである。
【００７７】
次に図９を用いて、図６に示すステップＳ２０の具体的な例を説明する。図６に示すステップＳ１９が完了すると、図９に示すステップＳ５０〜ステップＳ５１が実行されてエンドに移行する。
【００７８】
≪ステップＳ５０≫
ステップＳ５０においては、ＩＤ番号の解放処理の要否の判断を行なっている。本実施形態では、利用者の移動情報(移動履歴)を所定時間に亘ってトレースする場合と、そうでない場合とが設定されており、その例として「１日単位」で設定されている。そして、解放状条件が「１日単位」と設定されている場合はステップＳ５１に移行し、設定されていない場合はステップＳ５２に移行する。
【００７９】
≪ステップＳ５１≫
ステップＳ５１では、日時が０：００：００になるまで判別情報(特徴量）とＩＤ番号を開放せずに、それぞれ紐つけして保持する。これによって、１日の時間に亘って利用者の移動状態をトレースすることが可能となる。
【００８０】
≪ステップＳ５２≫
ステップＳ５２においては、「１日単位」未満の時間内で、所定の解放条件を満足する場合に、個別の利用者に付与されたＩＤ番号とこれに紐つけられた判別情報が解放(消去)される。尚、前にも述べたが、解放されるのは個別の利用者に付与されたＩＤ番号とこれに紐つけられた判別情報であり、これ以外のＩＤ番号の「発生時刻(設定時刻)」、ＩＤ番号が発生した「発生階床番号」、乗車号機に乗車した「乗車時刻」及び「乗車階床番号」、乗車号機から降車した「降車時刻」及び「降車階床番号」等は、シミュレーションのパラメータデータとして保持されている。
【００８１】
ここで、ステップＳ５２で設定される解放条件としては、（１）利用者が乗車号機を降車したことを解放条件とする、（２）エレベーターの設置計画に用いる交通計算における一周時間等の時間を用いた時間満了を解放条件とする、（３）乗り継ぎを想定した場合、第１のエレベーター群と第２のエレベーター群があった場合、第１のエレベーター群から第２のエレベーター群、或いは第２のエレベーター群から第１のエレベーター群に乗り継ぎいだとき最終的に降車したこと解放条件とする(例えば、低層から高層へ乗継があった場合、高層のエレベーターを降車したときを解放条件とする)等が考えられるので、適切な解放条件を設定すれば良いものである。
【００８２】
図１０は、ステップＳ１９で実行されるログ集計処理の具体例を示したものであり、乗車号機から降車する場合をＩＤ解放条件とした時のログ出力である。
【００８３】
ログ出力は、利用者を表す「利用者の判別情報」と、これに紐つけられた「ＩＤ番号」と、ＩＤ番号の「発生時刻」と、ＩＤ番号が発生した「発生階床番号」と、乗車号機に乗車した「乗車時刻」及び「乗車階床番号」と、乗車号機から降車した「降車時刻」及び「降車階床番号」とが記憶されている。
【００８４】
例えば、利用者Ｐａに関しては、ＩＤ番号は「０００１」と設定され、このＩＤ番号が「５階」で「８：００：０１」に設定され、また、利用者Ｐａは、「５階」の乗場で乗車号機に「８：０１：０５」に乗車し、更に、利用者Ｐａは、「８階」の乗場で乗車号機から「８：０１：２０」に降車したという情報を取得できる。他の利用者についても同様であり、これらの利用者の移動情報から群管理制御を行なうための事前のシミュレーションの精度を向上することができる。
【００８５】
尚、ＩＤ解放処理が実行されると、利用者の判別情報と、これに紐つけられた「ＩＤ番号」は消去され、一般的な利用者情報(例えば、Ａ、Ｂ、Ｃ…等)に置き換えられる。シミュレーションには、利用者の個人情報は必要ないので、利用者の判別情報のような個人情報が削除されても問題はなく、また、個人情報の保護の点からも望ましいものである。
【００８６】
図１１は、ステップＳ１９で実行されるログ集計処理の具体例を示したものであり、「１日単位」をＩＤ解放条件とした時のログ出力である。ログ出力は、基本的には図１０と同一であるが、ＩＤ解放条件が「１日単位」であるため、利用者Ｐｃに示すように「１日単位」で移動情報が取得されている。
【００８７】
例えば、最初の検出処理で利用者Ｐｃに関しては、ＩＤ番号は「０００３」と設定され、このＩＤ番号が「５階」で「８：００：０４」に設定され、また、利用者Ｐｃは、「５階」の乗場で乗車号機に「８：０１：０６」に乗車し、更に、利用者Ｐｃは、「９階」の乗場で乗車号機から「８：０１：５５」に降車して事務所に向かったという情報を取得できる。
【００８８】
また、利用者Ｐｃが９回の事務所で執務して時間が経過した後でも、利用者ＰｃのＩＤ番号は「０００３」と保持されており、このＩＤ番号は「９階」で「１０：１０：２５」に再検出され、また、利用者Ｐｃは、「９階」の乗場で乗車号機に「１０：１０：３６」に乗車し、更に、利用者Ｐｃは、「１階」の乗場で乗車号機から「１０：１１：０３」に降車したという情報を取得できる。他の利用者についても同様であり、これらの利用者の移動情報から群管理制御を行なうための事前のシミュレーションの精度を向上することができる。更に、ＩＤの解放条件を設定することで、プライバシーに配慮し、いかなる利用シーンでもシミュレーションの精度を保つためのデータを作成することが可能となる。
【００８９】
尚、本実施形態では上述した利用者を表す「利用者の判別情報」と、これに紐つけられた「ＩＤ番号」と、ＩＤ番号の「発生時刻」と、ＩＤ番号が発生した「発生階床番号」と、乗車号機に乗車した「乗車時刻」及び「乗車階床番号」と、乗車号機から降車した「降車時刻」及び「降車階床番号」とが記憶されているが、必要に応じてこれ以外の記憶項目を設定することも可能である。
【００９０】
上述の実施形態は、各階床の乗場に設けた乗場監視カメラ１７と乗りかご内に設けたかご内監視カメラ２０の画像を監視カメラ制御システム１６で総合的に管理、制御している例を示したが、各階床の乗場に設けた乗場監視カメラ１７だけを使用して利用者の移動情報を取得しても良いし、また、乗りかごに設けたかご監視カメラ２０だけを使用して利用者の移動情報を取得しても良いものである。
【００９１】
各階床の乗場に設けた乗場監視カメラ１７だけを使用して利用者の移動情報を取得する場合は、基本的には図５に示す制御フローと同じ制御で実現できるものである。この場合は、ステップＳ１５の乗車利用者検出処理とステップＳ１７の降車利用者検出処理は、乗車する乗場監視カメラ１７の画像、及び降車する乗場監視カメラ１７の画像から利用者の挙動を検出することで実施できる。つまり、乗車する場合は、利用者検出範囲から利用者が消失したことで検出することができ、降車する場合は、利用者検出範囲に利用者が出現したことで検出することができる。
【００９２】
また、乗りかごに設けたかご内監視カメラ２０だけを使用して利用者の移動情報を取得する場合は、かご内監視カメラ２０で検出した、個別の利用者の判別情報とＩＤ番号を紐つけ、利用者が乗りかご内に出現した出現時刻と、乗りかご内から消失した消失時刻をＩＤ番号毎に記憶させる。そして、乗車号機情報と時刻情報からＩＤ番号毎に出発階と到着階を紐つけて、ログ出力を取得することができる。
【００９３】
以上述べた通り、本発明はエレベーターの乗場を撮影する乗場カメラ、或いは乗りかご内を撮影するかご内カメラの画像から、利用者のそれぞれに利用者を判別する判別情報とＩＤ情報を設定、付与し、この判別情報とＩＤ情報を基に利用者の移動をトレースして少なくとも利用者の乗車階床と降車階床を紐つけて記憶させて利用者の移動情報を把握する構成としている。
【００９４】
これによれば、利用者の移動情報を正確に把握できるので、例えば、群管理制御を行なうための事前のシミュレーションに必要となる正確なパラメータデータが得られるので、シミュレーションの精度を向上できる。
【００９５】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一手段を他の実施例の構成に置き換えることが可能であり、また、ある実施例の構成に他の実施例の構成を加えることも可能である。また、各実施例の構成の一手段について、他の構成の追加、削除、置換をすることが可能である。
【符号の説明】
【００９６】
１０…エレベーター運行管理システム、１０Ａ…学習部、１０Ｂ…受信部、１０Ｃ…階床別人数評価部、１０Ｄ…総合評価部、１０Ｅ…割当て指令部、１１Ａ〜１１Ｎ…乗車号機エレベーター制御システム、１２…通信網、１６…監視カメラ制御システム、１６Ａ…画像入力処理部、１６Ｂ…検出範囲設定処理部、１６Ｃ…利用者検出処理部、１６Ｄ…ＩＤ設定処理部、１６Ｅ…階床別利用者検出処理部、１６Ｆ…移動情報出力処理部、１６Ｇ…ログ出力処理部、１７…乗場監視カメラ、１８Ａ〜１８Ｄ…乗場戸、１９Ａ〜１９Ｄ…利用者検出範囲、２０…かご内監視カメラ。
【図１】
2019087251.tif 000003
【図２】
2019087251.tif 000004
【図３】
2019087251.tif 000005
【図４】
2019087251.tif 000006
【図５Ａ】
2019087251.tif 000007
【図５Ｂ】
2019087251.tif 000008
【図５Ｃ】
2019087251.tif 000009
【図５Ｄ】
2019087251.tif 000010
【図５Ｅ】
2019087251.tif 000011
【図５Ｆ】
2019087251.tif 000012
【図６】
2019087251.tif 000013
【図７】
2019087251.tif 000014
【図８】
2019087251.tif 000015
【図９】
2019087251.tif 000016
【図１０】
2019087251.tif 000017
【図１１】
2019087251.tif 000018
【国際調査報告】
2019087251.tif 000019
2019087251.tif 000020
2019087251.tif 000021
2019087251.tif 000022